(57)【要約】【課題】頭脳の活性化を図ることが可能な印刷物を実現する。【解決手段】縦書きの場合は、文および／またはタイトルに含まれた文字または単語を、列ごとに下から上に縦に連ねて配置し、かつ、列を左から右へと順に並べ、横書きの場合は、文および／またはタイトルに含まれた文字または単語を、行ごとに右から左へ横に連ねて配置し、かつ、行を下から上へと順に並べる。よって、見慣れた文字配列または単語配列とは異なり、読書により頭脳の活性化を図ることができる。【選択図】        図１
0003152123.tif 000002
【実用新案登録請求の範囲】
【請求項１】
印刷媒体上に、日本語またはその他の外国語による文および／またはタイトルが縦書きまたは横書きに印刷された印刷物であって、
前記縦書きの場合は、前記文および／またはタイトルに含まれた文字または単語が、前記文字または単語の天地が逆転することなく、列ごとに下から上に縦に連なって配置され、かつ、前記列が左から右へと順に並べられた配置とされ、
前記横書きの場合は、前記文および／またはタイトルに含まれた文字または単語が、前記文字または単語の天地が逆転することなく、行ごとに右から左へ横に連なって配置され、かつ、前記行が下から上へと順に並べられた配置とされた
印刷物。
【考案の詳細な説明】
【技術分野】
【０００１】
この考案は、頭脳の活性化を図ることが可能な印刷物に関する。
【背景技術】
【０００２】
冊子や書籍等の印刷物における見開きページの従来例を図７〜図９に示す。
【０００３】
図７は、印刷物の一例として、鴨長明著「方丈記」の一節を、いわゆる右縦書きで、即ち、文字を列ごとに上から下に縦に連ねつつ、列を右から左へと順に並べた配置で、記述した見開きページ１００を示す図である。この図７においては、「方丈記」とのタイトル１００ａが右ページの最右列に配置されている。また、タイトル１００ａの左側には、「行く川の流れは絶えずして、…」との文言で始まる本文１００ｂが、適宜、改行されて配置されている。本文１００ｂは、右ページの最終列まで配置され、その後に続く部分については左ページに連続して記載されている。これ以降の部分も、後続のページに亘って、図７におけると同様に記載されている。なお、図７においては、「１頁」とのページ表記１００ｃが右ページの最下段中央部に記載され、「２頁」とのページ表記１００ｄが左ページの最下段中央部に記載されている。
【０００４】
また、図８は、印刷物の他の一例として、「方丈記」の一節を、いわゆる右横書きで、即ち、文字を行ごとに左から右へ横に連ねつつ、行を上から下へと順に並べた配置で、記述した見開きページ２００を示す図である。この図８においては、「方丈記」とのタイトル２００ａが左ページの最上段に配置されている。また、タイトル２００ａの直下には、本文２００ｂが、適宜、改行されて配置されている。本文２００ｂは、左ページの最終行まで配置され、その後に続く部分については右ページに連続して記載されている。これ以降の部分も、後続のページに亘って、図８におけると同様に記載されている。なお、図８においては、「１頁」とのページ表記２００ｃが左ページの最下段中央部に記載され、「２頁」とのページ表記２００ｄが右ページの最下段中央部に記載されている。
【０００５】
図９は、外国語表記の印刷物の一例として、フランシス・ベーコン著「THE NEW ORGANON（新機関）」の一節を、右横書きで記述した見開きページ３００を示す図である。この図９においても図８の場合と同様に、「THE NEW ORGANON」とのタイトル３００ａが左ページの最上段に配置されている。また、タイトル３００ａの直下には、「Those who have taken upon them to lay down…」との文言で始まる本文３００ｂが、適宜、改行されて配置されている。本文３００ｂは、左ページの最終行まで配置され、その後に続く部分については右ページに連続して記載されている。これ以降の部分も、後続のページに亘って、図９におけると同様に記載されている。なお、図９においては、「Page 1」とのページ表記３００ｃが左ページの最下段中央部に記載され、「Page 2」とのページ表記３００ｄが右ページの最下段中央部に記載されている。
【０００６】
なお、レイアウトに特徴を有する印刷物に関する先行技術文献情報として、次のものがある。
【先行技術文献】
【特許文献】
【０００７】
【特許文献１】実開昭５４−１７６６３２号公報
【考案の概要】
【考案が解決しようとする課題】
【０００８】
図７〜図９に示したような見慣れた文字配列や単語配列は、記載された情報をすばやく読み取る目的には適している。しかし、このような文字配列や単語配列では、読むことが比較的容易なため、頭脳を活性化させる目的で読書を行なう場合には、適さないこととなる。
【０００９】
この考案は上記の事情に鑑みてなされたもので、頭脳の活性化を図ることが可能な印刷物を提供することを目的とする。
【課題を解決するための手段】
【００１０】
本考案は、印刷媒体上に、日本語またはその他の外国語による文および／またはタイトルが縦書きまたは横書きに印刷された印刷物であって、前記縦書きの場合は、前記文および／またはタイトルに含まれた文字または単語が、前記文字または単語の天地が逆転することなく、列ごとに下から上に縦に連なって配置され、かつ、前記列が左から右へと順に並べられた配置とされ、前記横書きの場合は、前記文および／またはタイトルに含まれた文字または単語が、前記文字または単語の天地が逆転することなく、行ごとに右から左へ横に連なって配置され、かつ、前記行が下から上へと順に並べられた配置とされた印刷物である。
【考案の効果】
【００１１】
本考案に係る印刷物によれば、縦書きの場合は、文および／またはタイトルに含まれた文字または単語が、文字または単語の天地が逆転することなく、列ごとに下から上に縦に連なって配置され、かつ、列が左から右へと順に並べられた配置とされ、横書きの場合は、文および／またはタイトルに含まれた文字または単語が、文字または単語の天地が逆転することなく、行ごとに右から左へ横に連なって配置され、かつ、行が下から上へと順に並べられた配置とされる。よって、見慣れた文字配列または単語配列とは異なり、読書により頭脳の活性化を図ることができる。
【図面の簡単な説明】
【００１２】
【図１】「方丈記」の一節を、文字を列ごとに下から上に縦に連ねつつ、列を左から右へと順に並べた配置で記述した印刷物における見開きページの例を示す図である。
【図２】「方丈記」の一節を、文字を行ごとに右から左へ横に連ねつつ、行を下から上へと順に並べた配置で記述した印刷物における見開きページの例を示す図である。
【図３】「方丈記」の一節を、文字を列ごとに下から上に縦に連ねつつ、列を左から右へと順に並べた配置で記述した印刷物における見開きページの他の例を示す図である。
【図４】「方丈記」の一節を、文字を行ごとに右から左へ横に連ねつつ、行を下から上へと順に並べた配置で記述した印刷物における見開きページの他の例を示す図である。
【図５】「THE NEW ORGANON」の一節を、単語を行ごとに右から左へ横に連ねつつ、行を下から上へと順に並べた配置で記述した印刷物における見開きページの例である。
【図６】「THE NEW ORGANON」の一節を、単語を行ごとに右から左へ横に連ねつつ、行を下から上へと順に並べた配置で記述した印刷物における見開きページの他の例である。
【図７】「方丈記」の一節を右縦書きで記述した印刷物における見開きページの従来例を示す図である。
【図８】「方丈記」の一節を右横書きで記述した印刷物における見開きページの従来例を示す図である。
【図９】「THE NEW ORGANON」の一節を右横書きで記述した印刷物における見開きページの従来例を示す図である。
【考案を実施するための形態】
【００１３】
＜実施の形態１＞
本実施の形態は、紙やプラスチック材料等の印刷媒体上に、日本語による文およびタイトルが縦書きに印刷された印刷物であって、文およびタイトルに含まれた文字が、その文字の天地が逆転することなく、列ごとに下から上に縦に連なって配置され、かつ、列が左から右へと順に並べられた配置とされた印刷物である。このような配置は、例えば活版印刷における植字を任意の順に行なうことで容易に実現可能である。
【００１４】
図１は、本実施の形態に係る印刷物の一例として、鴨長明著「方丈記」の一節を、文字を列ごとに下から上に縦に連ねつつ、列を左から右へと順に並べた配置で、記述した見開きページ１を示す図である。この図１においては、「方丈記」とのタイトル１ａが左ページの最左列に、下から「方」、「丈」、「記」と並ぶ文字配列で配置されている。
【００１５】
また、タイトル１ａの右側には、「行く川の流れは絶えずして、…」との文言で始まる本文１ｂが、適宜、右に改行されて配置されている。この本文１ｂについても、下から「行」、「く」、「川」、…と並ぶよう、通常とは異なる文字配列で配置されている。そして、改行されつつ本文１ｂは、左ページの最終列（最右列）まで配置され、その後に続く部分については右ページに連続して記載されている。なお、図１においては、「１頁」とのページ表記１ｃが左ページの最下段中央部に記載され、「２頁」とのページ表記１ｄが右ページの最下段中央部に記載されている。
【００１６】
これ以降の部分も、後続のページに亘って、図１におけると同様に記載されている。すなわち、見開きページの左ページには奇数ページが記載され、右ページには偶数ページが記載される。
【００１７】
なお、上記特許文献１の場合とは異なり、見開きページ１中において、「方、「丈」、「記」とのタイトル１ａ中の各文字、および、「行」、「く」、「川」、…と続く本文１ｂ中の各文字、および、ページ表記１ｃ，１ｄ中の各文字は、いずれも、その天地が逆転することはなく、文字単独で見れば、通常の表記と変わるところはない。
【００１８】
本実施の形態に係る印刷物によれば、文およびタイトルに含まれた文字が、文字の天地が逆転することなく、列ごとに下から上に縦に連なって配置され、かつ、列が左から右へと順に並べられた配置とされる。よって、見慣れた文字配列とは異なり、読書により頭脳の活性化を図ることができる。
【００１９】
＜実施の形態２＞
本実施の形態は、紙やプラスチック材料等の印刷媒体上に、日本語による文およびタイトルが横書きに印刷された印刷物であって、文およびタイトルに含まれた文字が、その文字の天地が逆転することなく、行ごとに右から左へ横に連なって配置され、かつ、行が下から上へと順に並べられた配置とされた印刷物である。このような配置も、例えば活版印刷における植字を任意の順に行なうことで容易に実現可能である。
【００２０】
図２は、本実施の形態に係る印刷物の一例として、「方丈記」の一節を、文字を行ごとに右から左へ横に連ねつつ、行を下から上へと順に並べた配置で、記述した見開きページ２を示す図である。この図２においては、「方丈記」とのタイトル２ａが右ページの最下段に、右から「方」、「丈」、「記」と並ぶ文字配列で配置されている。
【００２１】
また、タイトル２ａの直上には、「行く川の流れは絶えずして、…」との文言で始まる本文２ｂが、適宜、上に改行されて配置されている。この本文２ｂについても、右から「行」、「く」、「川」、…と並ぶよう、通常とは異なる文字配列で配置されている。そして、改行されつつ本文２ｂは、右ページの最終行（最上行）まで配置され、その後に続く部分については左ページに連続して記載されている。なお、図２においては、「１頁」とのページ表記２ｃが右ページの最下段中央部に記載され、「２頁」とのページ表記２ｄが左ページの最下段中央部に記載されている。
【００２２】
これ以降の部分も、後続のページに亘って、図２におけると同様に記載されている。すなわち、見開きページの右ページには奇数ページが記載され、左ページには偶数ページが記載される。
【００２３】
なお、上記特許文献１の場合とは異なり、見開きページ２中において、「方、「丈」、「記」とのタイトル２ａ中の各文字、および、「行」、「く」、「川」、…と続く本文２ｂ中の各文字、および、ページ表記２ｃ，２ｄ中の各文字は、いずれも、その天地が逆転することはなく、文字単独で見れば、通常の表記と変わるところはない。
【００２４】
本実施の形態に係る印刷物によれば、文およびタイトルに含まれた文字が、文字の天地が逆転することなく、行ごとに右から左へ横に連なって配置され、かつ、行が下から上へと順に並べられた配置とされる。よって、見慣れた文字配列とは異なり、読書により頭脳の活性化を図ることができる。
【００２５】
＜実施の形態３＞
本実施の形態は、実施の形態１に係る印刷物の変形例であって、見開きページ中の一方のページのみに、文およびタイトル、ページ表記を記載したものである。
【００２６】
図３は、本実施の形態に係る印刷物の一例として、「方丈記」の一節を、文字を列ごとに下から上に縦に連ねつつ、列を左から右へと順に並べた配置で、記述した見開きページ１０を示す図である。この図３においては、図１の場合と同様、「方丈記」とのタイトル１０ａが右ページの最左列に、下から「方」、「丈」、「記」と並ぶ文字配列で配置されている。
【００２７】
また、タイトル１０ａの右側には、「行く川の流れは絶えずして、…」との文言で始まる本文１０ｂが、適宜、右に改行されて配置されている。この本文１０ｂについても、下から「行」、「く」、「川」、…と並ぶよう、通常とは異なる文字配列で配置されている。そして、改行されつつ本文１０ｂは、右ページの最終列（最右列）まで配置され、その後に続く部分については、図示せぬ後続のページに記載されている。なお、図３においては、「１頁」とのページ表記１０ｃが右ページの最下段中央部に記載されている。また、左ページには何も記載されてはいない。
【００２８】
これ以降の部分も、後続のページに亘って、図３におけると同様に記載されている。すなわち、見開きページの左ページには何も記載されず、右ページには後続のページが連続して記載される。
【００２９】
なお、上記特許文献１の場合とは異なり、見開きページ１０中において、「方、「丈」、「記」とのタイトル１０ａ中の各文字、および、「行」、「く」、「川」、…と続く本文１０ｂ中の各文字、および、ページ表記１０ｃ中の各文字は、いずれも、その天地が逆転することはなく、文字単独で見れば、通常の表記と変わるところはない。
【００３０】
本実施の形態に係る印刷物においても、文およびタイトルに含まれた文字が、文字の天地が逆転することなく、列ごとに下から上に縦に連なって配置され、かつ、列が左から右へと順に並べられた配置とされる。よって、見慣れた文字配列とは異なり、読書により頭脳の活性化を図ることができる。
【００３１】
なお、本実施の形態においては、見開きページ中の右ページのみに文およびタイトル、ページ表記を記載したが、逆に、見開きページ中の左ページのみに文およびタイトル、ページ表記を記載してもよい。
【００３２】
＜実施の形態４＞
本実施の形態は、実施の形態２に係る印刷物の変形例であって、見開きページ中の一方のページのみに、文およびタイトル、ページ表記を記載したものである。
【００３３】
図４は、本実施の形態に係る印刷物の一例として、「方丈記」の一節を、文字を行ごとに右から左へ横に連ねつつ、行を下から上へと順に並べた配置で、記述した見開きページ２０を示す図である。この図４においては、図２の場合と同様、「方丈記」とのタイトル２０ａが右ページの最下段に、右から「方」、「丈」、「記」と並ぶ文字配列で配置されている。
【００３４】
また、タイトル２０ａの直上には、「行く川の流れは絶えずして、…」との文言で始まる本文２０ｂが、適宜、上に改行されて配置されている。この本文２０ｂについても、右から「行」、「く」、「川」、…と並ぶよう、通常とは異なる文字配列で配置されている。そして、改行されつつ本文２０ｂは、右ページの最終行（最上行）まで配置され、その後に続く部分については、図示せぬ後続のページに記載されている。なお、図４においては、「１頁」とのページ表記２０ｃが右ページの最下段中央部に記載されている。また、左ページには何も記載されてはいない。
【００３５】
これ以降の部分も、後続のページに亘って、図４におけると同様に記載されている。すなわち、見開きページの左ページには何も記載されず、右ページには後続のページが連続して記載される。
【００３６】
なお、上記特許文献１の場合とは異なり、見開きページ２０中において、「方、「丈」、「記」とのタイトル２０ａ中の各文字、および、「行」、「く」、「川」、…と続く本文２０ｂ中の各文字、および、ページ表記２０ｃ中の各文字は、いずれも、その天地が逆転することはなく、文字単独で見れば、通常の表記と変わるところはない。
【００３７】
本実施の形態に係る印刷物においても、文およびタイトルに含まれた文字が、文字の天地が逆転することなく、行ごとに右から左へ横に連なって配置され、かつ、行が下から上へと順に並べられた配置とされる。よって、見慣れた文字配列とは異なり、読書により頭脳の活性化を図ることができる。
【００３８】
なお、本実施の形態においては、見開きページ中の右ページのみに文およびタイトル、ページ表記を記載したが、逆に、見開きページ中の左ページのみに文およびタイトル、ページ表記を記載してもよい。
【００３９】
＜実施の形態５＞
本実施の形態は、紙やプラスチック材料等の印刷媒体上に、日本語以外の外国語、例えば英語による文およびタイトルが横書きに印刷された印刷物であって、文およびタイトルに含まれた単語が、その単語の天地が逆転することなく、行ごとに右から左へ横に連なって配置され、かつ、行が下から上へと順に並べられた配置とされた印刷物である。このような配置も、例えば活版印刷における植字を任意の順に行なうことで容易に実現可能である。
【００４０】
図５は、本実施の形態に係る印刷物の一例として、フランシス・ベーコン著「THE NEW ORGANON（新機関）」の一節を、単語を行ごとに右から左へ横に連ねつつ、行を下から上へと順に並べた配置で、記述した見開きページ３を示す図である。この図５においては、「THE NEW ORGANON」とのタイトル３ａが右ページの最下段に、右から「THE」、「NEW」、「ORGANON」と並ぶ単語配列（「ORGANON NEW THE」）で配置されている。
【００４１】
また、タイトル３ａの直上には、「Those who have taken upon them to lay down…」との文言で始まる本文３ｂが、適宜、上に改行されて配置されている。この本文３ｂについても、右から「Those」、「who」、「have」、…と並ぶ（「… down lay to them upon taken have who Those」）よう、通常とは異なる単語配列で配置されている。そして、改行されつつ本文３ｂは、右ページの最終行（最上行）まで配置され、その後に続く部分については左ページに連続して記載されている。なお、図５においては、「Page 1」とのページ表記３ｃが右ページの最下段中央部に記載され、「Page 2」とのページ表記３ｄが左ページの最下段中央部に記載されている。
【００４２】
これ以降の部分も、後続のページに亘って、図５におけると同様に記載されている。すなわち、見開きページの右ページには奇数ページが記載され、左ページには偶数ページが記載される。
【００４３】
なお、上記特許文献１の場合とは異なり、見開きページ３中において、「THE」、「NEW」、「ORGANON」とのタイトル３ａ中の各単語、および、「Those」、「who」、「have」、…と続く本文３ｂ中の各単語、および、ページ表記３ｃ，３ｄ中の各単語は、いずれも、その天地が逆転することはなく、単語単独で見れば、通常の表記と変わるところはない。
【００４４】
本実施の形態に係る印刷物によれば、文およびタイトルに含まれた単語が、単語の天地が逆転することなく、行ごとに右から左へ横に連なって配置され、かつ、行が下から上へと順に並べられた配置とされる。よって、見慣れた単語配列とは異なり、読書により頭脳の活性化を図ることができる。
【００４５】
＜実施の形態６＞
本実施の形態は、実施の形態５に係る印刷物の変形例であって、見開きページ中の一方のページのみに、文およびタイトル、ページ表記を記載したものである。
【００４６】
図６は、本実施の形態に係る印刷物の一例として、「THE NEW ORGANON」の一節を、単語を行ごとに右から左へ横に連ねつつ、行を下から上へと順に並べた配置で、記述した見開きページ３０を示す図である。この図６においては、図５の場合と同様、「THE NEW ORGANON」とのタイトル３０ａが右ページの最下段に、右から「THE」、「NEW」、「ORGANON」と並ぶ単語配列（「ORGANON NEW THE」）で配置されている。
【００４７】
また、タイトル３０ａの直上には、「Those who have taken upon them to lay down…」との文言で始まる本文３０ｂが、適宜、上に改行されて配置されている。この本文３ｂについても、右から「Those」、「who」、「have」、…と並ぶ（「… down lay to them upon taken have who Those」）よう、通常とは異なる単語配列で配置されている。そして、改行されつつ本文３０ｂは、右ページの最終行（最上行）まで配置され、その後に続く部分については、図示せぬ後続のページに記載されている。なお、図６においては、「Page 1」とのページ表記３０ｃが右ページの最下段中央部に記載されている。また、左ページには何も記載されてはいない。
【００４８】
これ以降の部分も、後続のページに亘って、図６におけると同様に記載されている。すなわち、見開きページの左ページには何も記載されず、右ページには後続のページが連続して記載される。
【００４９】
なお、上記特許文献１の場合とは異なり、見開きページ３０中において、「THE」、「NEW」、「ORGANON」とのタイトル３０ａ中の各単語、および、「Those」、「who」、「have」、…と続く本文３０ｂ中の各単語、および、ページ表記３０ｃ中の各単語は、いずれも、その天地が逆転することはなく、単語単独で見れば、通常の表記と変わるところはない。
【００５０】
本実施の形態に係る印刷物においても、文およびタイトルに含まれた単語が、単語の天地が逆転することなく、行ごとに右から左へ横に連なって配置され、かつ、行が下から上へと順に並べられた配置とされる。よって、見慣れた単語配列とは異なり、読書により頭脳の活性化を図ることができる。
【００５１】
なお、本実施の形態においては、見開きページ中の右ページのみに文およびタイトル、ページ表記を記載したが、逆に、見開きページ中の左ページのみに文およびタイトル、ページ表記を記載してもよい。
【００５２】
＜その他＞
上述の実施の形態１〜４においては、日本語の印刷物における文字を、通常とは異なる文字配列で配置した。しかし、この配置を文字単位ではなく、単語単位で転置するようにしてもよい。すなわち、上記においては、「行く川の流れは絶えずして、…」との文言で始まる本文を、下から、あるいは、右から、「行」、「く」、「川」、…と並ぶよう配置していたが、これを、下から、あるいは、右から、「行く」、「川」、「の」、「流れ」…と並ぶ（「…流れ の 川 行く」）よう配置してもよい。
【００５３】
また、上述の実施の形態５および６においては、外国語の印刷物における単語を、通常とは異なる単語配列で配置した。しかし、この配置を単語単位ではなく、文字単位で転置するようにしてもよい。すなわち、上記においては、「Those who have taken upon them to lay down…」との文言で始まる本文を、右から「Those」、「who」、「have」、…と並ぶ（「… down lay to them upon taken have who Those」）よう配置していたが、これを、右から、「esohT」、「ohw」、「evah」、…と並ぶ（「… nwod yal ot meht nopu nekat evah ohw esohT」）よう配置してもよい。
【００５４】
また、上述の実施の形態１〜６においては、タイトルおよび本文の両方を、通常とは異なる文字配列または単語配列で配置した。しかし、タイトルまたは本文の一方のみを、通常とは異なる文字配列または単語配列で配置してもよい。例えば実施の形態１において、「方丈記」とのタイトルについては、上から「方」、「丈」、「記」と並ぶ通常の文字配列を採用し、本文についてのみ、図１の本文１ｂと同じく転置した文字配列を採用しても良い。
【符号の説明】
【００５５】
１，２，３，１０，２０，３０  印刷物の見開きページ
１ａ，２ａ，３ａ，１０ａ，２０ａ，３０ａ  タイトル
１ｂ，２ｂ，３ｂ，１０ｂ，２０ｂ，３０ｂ  本文
１ｃ，１ｄ，２ｃ，２ｄ，３ｃ，３ｄ，１０ｃ，２０ｃ，３０ｃ  ページ表記
【図１】
0003152123.tif 000003
【図２】
0003152123.tif 000004
【図３】
0003152123.tif 000005
【図４】
0003152123.tif 000006
【図５】
0003152123.tif 000007
【図６】
0003152123.tif 000008
【図７】
0003152123.tif 000009
【図８】
0003152123.tif 000010
【図９】
0003152123.tif 000011
【手続補正書】
【提出日】平成21年5月15日(2009.5.15)
【手続補正１】
【補正対象書類名】実用新案登録請求の範囲
【補正対象項目名】請求項１
【補正方法】変更
【補正の内容】
【請求項１】
印刷媒体上に、日本語またはその他の外国語による文および／またはタイトルが縦書きまたは横書きに印刷された印刷物であって、
前記縦書きの場合は、前記文および／またはタイトルに含まれた文字または単語が、前記文字または単語の天地が逆転することなく、列ごとに下から上に縦に連なって配置され、かつ、前記列が左から右へと順に並べられた、すなわち、右縦書きとは逆の読み順序となる配置とされ、
前記横書きの場合は、前記文および／またはタイトルに含まれた文字または単語が、前記文字または単語の天地が逆転することなく、行ごとに右から左へ横に連なって配置され、かつ、前記行が下から上へと順に並べられた、すなわち、右横書きとは逆の読み順序となる配置とされた
印刷物。
【手続補正２】
【補正対象書類名】明細書
【補正対象項目名】００１０
【補正方法】変更
【補正の内容】
【００１０】
本考案は、印刷媒体上に、日本語またはその他の外国語による文および／またはタイトルが縦書きまたは横書きに印刷された印刷物であって、前記縦書きの場合は、前記文および／またはタイトルに含まれた文字または単語が、前記文字または単語の天地が逆転することなく、列ごとに下から上に縦に連なって配置され、かつ、前記列が左から右へと順に並べられた、すなわち、右縦書きとは逆の読み順序となる配置とされ、前記横書きの場合は、前記文および／またはタイトルに含まれた文字または単語が、前記文字または単語の天地が逆転することなく、行ごとに右から左へ横に連なって配置され、かつ、前記行が下から上へと順に並べられた、すなわち、右横書きとは逆の読み順序となる配置とされた印刷物である。